(57)【要約】【課題】レーンにおける伝送状態が悪化した場合にデータ受信が遅延したり途切れたりすることなく伝送に利用されるレーンの切り替えを行うことが可能な技術が提供されることが望まれる。【解決手段】第１のレーンにより伝送された送信情報の受信装置による受信状態が所定の第１の状態よりも悪いことが検出された場合に前記受信装置から送信された伝送レーン追加要求を取得する要求取得部と、前記伝送レーン追加要求が取得された場合に、前記第１のレーンの他に第２のレーンによる前記受信装置への送信情報の伝送を開始する送信制御部と、を備え、前記送信制御部は、前記第２のレーンによる前記送信情報の伝送が開始されてから所定の条件が満たされた場合に、前記第１のレーンによる前記送信情報の伝送を停止する、送信制御装置が提供される。【選択図】図１Ａ
2017163529.tif 000002
【特許請求の範囲】
【請求項１】
第１のレーンにより伝送された送信情報の受信装置による受信状態が所定の第１の状態よりも悪いことが検出された場合に前記受信装置から送信された伝送レーン追加要求を取得する要求取得部と、
前記伝送レーン追加要求が取得された場合に、前記第１のレーンの他に第２のレーンによる前記受信装置への送信情報の伝送を開始する送信制御部と、を備え、
前記送信制御部は、前記第２のレーンによる前記送信情報の伝送が開始されてから所定の条件が満たされた場合に、前記第１のレーンによる前記送信情報の伝送を停止する、
送信制御装置。
【請求項２】
前記送信制御装置は、
前記伝送レーン追加要求が取得された場合に、前記送信情報を前記第２のレーンに繋がる送信部に入力する送信情報制御部を備え、
前記送信制御部は、前記伝送レーン追加要求が取得された場合に、前記送信部に入力された前記送信情報の前記第２のレーンを介した送信が開始されるように前記送信部を制御する、
請求項１に記載の送信制御装置。
【請求項３】
前記要求取得部は、前記第２のレーンにより伝送された前記送信情報の受信状態が所定の第２の状態よりも良いことが検出された場合に前記受信装置から送信された伝送停止要求を取得し、
前記送信制御部は、前記伝送停止要求が取得された場合に、前記第１のレーンによる前記送信情報の伝送を停止する、
請求項１に記載の送信制御装置。
【請求項４】
前記要求取得部は、前記第２のレーンにより伝送された前記送信情報の受信状態が前記第１のレーンにより伝送された前記送信情報の受信状態よりも良いことが検出された場合に前記受信装置から送信された伝送停止要求を取得する、
請求項３に記載の送信制御装置。
【請求項５】
前記要求取得部は、前記第１のレーンにより伝送された送信情報の受信状態が前記所定の第１の状態よりも悪いことが検出された場合、かつ、空きレーンが存在する場合に、前記伝送レーン追加要求を取得し、
前記送信制御部は、前記伝送レーン追加要求が取得された場合に、前記第２のレーンとして空きレーンによる前記送信情報の伝送を開始する、
請求項１に記載の送信制御装置。
【請求項６】
前記送信制御部は、前記第１のレーンにより伝送された送信情報の受信状態が前記所定の第１の状態よりも悪いことが検出された場合、かつ、空きレーンが存在しない場合に、前記第２のレーンによる前記送信情報の伝送を開始させない、
請求項１に記載の送信制御装置。
【請求項７】
少なくとも、前記第１のレーンにより伝送される前記送信情報と前記第２のレーンにより伝送される前記送信情報とに対して、異なるスクランブリングがなされる、
請求項１に記載の送信制御装置。
【請求項８】
前記送信制御装置は、
前記伝送レーン追加要求によって信号パラメータが指定されている場合、前記信号パラメータに従って前記第２のレーンによる伝送開始時の信号パラメータを制御するパラメータ制御部を備える、
請求項１に記載の送信制御装置。
【請求項９】
前記送信制御装置は、
前記第２のレーンにより伝送された前記送信情報の受信状態が第３の状態よりも良いことが検出されるまで、前記第２のレーンにより伝送される前記送信情報の信号パラメータを前記受信状態が良くなるように変更するパラメータ制御部を備える、
請求項１に記載の送信制御装置。
【請求項１０】
前記送信制御装置は、
前記第２のレーンにより伝送された前記送信情報の受信状態が第３の状態よりも悪いことが検出されるまで、前記第２のレーンにより伝送される前記送信情報の信号パラメータを前記受信状態が悪くなるように変更するパラメータ制御部を備える、
請求項１に記載の送信制御装置。
【請求項１１】
前記送信制御部は、前記伝送レーン追加要求が取得された場合に、前記第２のレーンとして前記受信装置に伝送停止通知を伝送するレーンと同一のレーンによる前記送信情報の伝送を開始する、
請求項１に記載の送信制御装置。
【請求項１２】
前記送信制御部は、前記伝送レーン追加要求が取得された場合に、前記第１のレーンによって伝送される前記送信情報に含まれるブランキング区間に応じて、前記第２のレーンによる前記受信装置への前記送信情報の伝送を開始する、
請求項１に記載の送信制御装置。
【請求項１３】
前記送信制御装置は、
前記第１のレーンによって伝送される前記送信情報に含まれる複数のブランキング区間のうち、前記第２のレーンによる伝送開始に応じたブランキング区間に所定の固定パターンが設定されるように制御する固定パターン制御部を備える、
請求項１２に記載の送信制御装置。
【請求項１４】
前記送信制御装置は、
前記第１のレーンおよび前記第２のレーンとは異なる第３のレーンによって伝送される送信情報に含まれる複数のブランキング区間のうち、前記第２のレーンによる伝送開始に応じたブランキング区間に所定の固定パターンが設定されるように制御する固定パターン制御部を備える、
請求項１２に記載の送信制御装置。
【請求項１５】
前記送信制御部は、前記第１のレーンによって伝送される前記送信情報に含まれる複数のブランキング区間のうち、前記第２のレーンによる伝送開始に応じたブランキング区間の伝送をキャンセルする、
請求項１２に記載の送信制御装置。
【請求項１６】
前記送信制御部は、前記第１のレーンおよび前記第２のレーンとは異なる第３のレーンによって伝送される送信情報に含まれる複数のブランキング区間のうち、前記第２のレーンによる伝送開始に応じたブランキング区間の伝送をスキップする、
請求項１２に記載の送信制御装置。
【請求項１７】
第１のレーンにより伝送された送信情報の受信状態が所定の第１の状態よりも悪いことが検出された場合に伝送レーン追加要求を生成する要求生成部と、
前記伝送レーン追加要求が取得された送信装置から前記第１のレーンの他に第２のレーンによって伝送開始された送信情報の受信を制御する受信制御部と、を備え、
前記第２のレーンによる前記送信情報の伝送が開始されてから所定の条件が満たされた場合に、前記第１のレーンによる前記送信情報の伝送が停止される、
受信制御装置。
【請求項１８】
前記受信制御部は、前記第２のレーンによって伝送開始された前記送信情報の前記第２のレーンに繋がる受信部による受信が開始されるように制御する、
請求項１７に記載の受信制御装置。
【請求項１９】
前記要求生成部は、前記第２のレーンにより伝送された前記送信情報の受信状態が所定の第２の状態よりも良いことが検出された場合に伝送停止要求を生成し、
前記伝送停止要求が取得された送信装置から前記第１のレーンによる前記送信情報の伝送が停止される、
請求項１７に記載の受信制御装置。
【請求項２０】
送信制御装置と、受信制御装置とを有し、
前記送信制御装置は、
第１のレーンにより伝送された送信情報の受信装置による受信状態が所定の第１の状態よりも悪いことが検出された場合に前記受信装置から送信された伝送レーン追加要求を取得する要求取得部と、
前記伝送レーン追加要求が取得された場合に、前記第１のレーンの他に第２のレーンによる前記受信装置への送信情報の伝送を開始する送信制御部と、を備え、
前記送信制御部は、前記第２のレーンによる前記送信情報の伝送が開始されてから所定の条件が満たされた場合に、前記第１のレーンによる前記送信情報の伝送を停止させ、
前記受信制御装置は、
前記第１のレーンにより伝送された前記送信情報の受信状態が前記第１の状態よりも悪いことが検出された場合に前記伝送レーン追加要求を生成する要求生成部と、
前記伝送レーン追加要求が取得された送信装置から前記第１のレーンの他に第２のレーンによって伝送開始された送信情報の受信を制御する受信制御部と、を備える、
送受信制御システム。
【発明の詳細な説明】
【技術分野】
【０００１】
本開示は、送信制御装置、受信制御装置および送受信制御システムに関する。
【背景技術】
【０００２】
近年、通信ネットワークを介したデータ伝送において、レーンにおける伝送状態の悪化に対する耐性を向上させる技術が開示されている。例えば、データ伝送に利用されているレーンに障害が発生した場合に、当該障害が発生したレーンの代わりに正常なレーンが利用されるようにレーン切り替えを行う技術が開示されている（例えば、特許文献１参照。）。かかる技術によれば、伝送状態の悪化に対する耐性を向上させることが可能である。
【先行技術文献】
【特許文献】
【０００３】
【特許文献１】特開２０１１−２１１５３２号公報
【発明の概要】
【発明が解決しようとする課題】
【０００４】
しかし、レーンにおける伝送状態が悪化した場合にデータ受信が遅延したり途切れたりすることなく伝送に利用されるレーンの切り替えを行うことが可能な技術が提供されることが望まれる。
【課題を解決するための手段】
【０００５】
本開示によれば、第１のレーンにより伝送された送信情報の受信装置による受信状態が所定の第１の状態よりも悪いことが検出された場合に前記受信装置から送信された伝送レーン追加要求を取得する要求取得部と、前記伝送レーン追加要求が取得された場合に、前記第１のレーンの他に第２のレーンによる前記受信装置への送信情報の伝送を開始する送信制御部と、を備え、前記送信制御部は、前記第２のレーンによる前記送信情報の伝送が開始されてから所定の条件が満たされた場合に、前記第１のレーンによる前記送信情報の伝送を停止する、送信制御装置が提供される。【０００６】
本開示によれば、第１のレーンにより伝送された送信情報の受信状態が所定の第１の状態よりも悪いことが検出された場合に伝送レーン追加要求を生成する要求生成部と、前記伝送レーン追加要求が取得された送信装置から前記第１のレーンの他に第２のレーンによって伝送開始された送信情報の受信を制御する受信制御部と、を備え、前記第２のレーンによる前記送信情報の伝送が開始されてから所定の条件が満たされた場合に、前記第１のレーンによる前記送信情報の伝送が停止される、受信制御装置が提供される。【０００７】
本開示によれば、送信制御装置と、受信制御装置とを有し、前記送信制御装置は、第１のレーンにより伝送された送信情報の受信装置による受信状態が所定の第１の状態よりも悪いことが検出された場合に前記受信装置から送信された伝送レーン追加要求を取得する要求取得部と、前記伝送レーン追加要求が取得された場合に、前記第１のレーンの他に第２のレーンによる前記受信装置への送信情報の伝送を開始する送信制御部と、を備え、前記送信制御部は、前記第２のレーンによる前記送信情報の伝送が開始されてから所定の条件が満たされた場合に、前記第１のレーンによる前記送信情報の伝送を停止させ、前記受信制御装置は、前記第１のレーンにより伝送された前記送信情報の受信状態が前記第１の状態よりも悪いことが検出された場合に前記伝送レーン追加要求を生成する要求生成部と、前記伝送レーン追加要求が取得された送信装置から前記第１のレーンの他に第２のレーンによって伝送開始された送信情報の受信を制御する受信制御部と、を備える、送受信制御システムが提供される。
【発明の効果】
【０００８】
以上説明したように本開示によれば、レーンにおける伝送状態が悪化した場合にデータ受信が遅延したり途切れたりすることなく伝送に利用されるレーンの切り替えを行うことが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【０００９】
【図１Ａ】第１の実施形態に係る信号伝送システムの構成の一例を示す図である。
【図１Ｂ】第１の実施形態に係る信号伝送システムの構成の一例を示す図である。
【図２】送信器の詳細構成の一例を示す図である。
【図３】受信器の詳細構成の一例を示す図である。
【図４】本開示の第１の実施形態に係る信号伝送システムの動作の例を示すフローチャートである。
【図５】制御情報の例を示す図である。
【図６Ａ】第２の実施形態に係る信号伝送システムの構成の一例を示す図である。
【図６Ｂ】第２の実施形態に係る信号伝送システムの構成の一例を示す図である。
【図７】第２の実施形態に係る制御情報の例を示す図である。
【図８Ａ】第３の実施形態に係る信号伝送システムの構成の一例を示す図である。
【図８Ｂ】第３の実施形態に係る信号伝送システムの構成の一例を示す図である。
【図９】第３の実施形態に係る制御情報の例を示す図である。
【図１０Ａ】第４の実施形態に係る信号伝送システムの構成の一例を示す図である。
【図１０Ｂ】第４の実施形態に係る信号伝送システムの構成の一例を示す図である。
【図１１】送信器の詳細構成の一例を示す図である。
【図１２】第４の実施形態において複数のレーンそれぞれを伝送される送信情報の例を示す図である。
【図１３】第４の実施形態において複数のレーンそれぞれを伝送される送信情報の他の例を示す図である。
【図１４】第４の実施形態において複数のレーンそれぞれを伝送される送信情報の他の例を示す図である。
【発明を実施するための形態】
【００１０】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１１】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１２】
なお、説明は以下の順序で行うものとする。
０．背景
１．第１の実施形態
１．１．送信装置の構成
１．２．受信装置の構成
１．３．動作の説明
２．第２の実施形態
２．１．送信装置の構成
２．２．受信装置の構成
３．第３の実施形態
３．１．送信装置の構成
３．２．受信装置の構成
４．第４の実施形態
４．１．送信装置の構成
４．２．受信装置の構成
５．むすび
【００１３】
（０．背景）
まず、本実施形態の背景について説明する。ビデオ信号の伝送においては、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格が利用されることが多い。ＨＤＭＩ規格においては、ビデオ信号の伝送に利用されるレーンが３つのレーンに固定されており、３つのレーンの中の１レーンでも伝送状態が悪化した場合には、伝送状態が悪化したレーンの代わりにデータ伝送可能なレーンが存在しないため、伝送が不可能となる。
【００１４】
これに対し、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）によって規格されたＤｉｓｐｌａｙ  Ｐｏｒｔにおいては、伝送に利用するレーンとして４つのレーンから、１つのレーン、２つのレーンまたは４つのレーンを選択することが可能である。そこで、１つのレーンまたは２つのレーンが利用されている場合であれば、利用されていないレーンの伝送状態が悪化したとしても、引き続き伝送が可能である。
【００１５】
しかし、利用されるレーンは固定されてしまうため、１つのレーンまたは２つのレーンが利用されている場合であっても、利用されているレーンの伝送状態が悪化した場合には、伝送状態が悪化したレーンの代わりにデータ伝送可能なレーンが存在しないため、伝送が不可能となる。また、利用レーン数が変更される場合には、伝送が一旦停止してしまうため、映像表示が停止したり、表示される映像に黒画が発生したりする。
【００１６】
したがって、ビデオ伝送規格においては、レーンの伝送状態の悪化に対する耐性はないのが一般的である（または、限定的であるのが一般的である。）。一方、通信ネットワークを介したデータ伝送において、レーンにおける伝送状態の悪化に対する耐性を向上させる技術が開示されている。例えば、データ伝送に利用されているレーンに障害が発生した場合に、当該障害が発生したレーンの代わりに正常なレーンが利用されるようにレーン切り替えを行う技術が開示されている（例えば、特開２０１１−２１１５３２号公報参照。）。かかる技術によれば、伝送状態の悪化に対する耐性を向上させることが可能である。
【００１７】
しかし、レーンにおける伝送状態の悪化した場合にデータ受信が遅延したり途切れたりすることなく伝送に利用されるレーンの切り替えを行うことが可能な技術が提供されることが望まれる。また、特開２０１１−２１１５３２号公報に開示された技術では、利用されていないレーンに擬似ランダムデータを常時送り続けるための消費電力が必要になる。特に光通信においてはレーザの発光時間が長くなると寿命による故障が発生する可能性が高くなるため、利用されていないレーンを発光させずに機器の寿命を延ばすことが望ましい。
【００１８】
以上、本実施形態の背景について説明した。
【００１９】
（１．第１の実施形態）
続いて、第１の実施形態に係る信号伝送システム（送受信制御システム）１Ａの構成例について説明する。図１Ａおよび図１Ｂは、第１の実施形態に係る信号伝送システム１Ａの構成の一例を示す図である。図１Ａおよび図１Ｂに示すように、信号伝送システム１Ａは、送信装置１０Ａと受信装置２０Ａとを有する。また、送信装置１０Ａと受信装置２０Ａとは、ケーブル３０を介して接続されている。
【００２０】
ケーブル３０にはレーン３０５−１〜３０５−Ｍ（Ｍは２以上の整数）が含まれている。レーン３０５の本数は複数であれば特に限定されない。なお、本明細書においては、送信情報として映像信号が扱われる例について主に説明するが、送信情報として音声信号およびその他の種類の信号も映像信号と同様に扱われ得る。また、送信情報は、光信号ではなく、電気信号といった他の信号であってもよい。送信装置１０Ａは、「送信制御装置」として機能し得る。また、受信装置２０Ａは、「受信制御装置」として機能し得る。
【００２１】
（１−１．送信装置の構成）
続いて、送信装置１０Ａの構成について説明する。図１Ａに示すように、送信装置１０Ａは、スイッチ部１０４、送信器１０５−１〜１０５−Ｍ、送信制御部１０９、要求取得部１１１、要求受信部１１０、通知送信部１１２、通知生成部１１３および送信情報制御部１１４を備える。送信器１０５−１〜１０５−Ｍそれぞれは、対応するレーン３０５−１〜３０５−Ｍに繋がっている。なお、送信器１０５−１〜１０５−Ｍの詳細な構成については、後に図２を参照しながら説明する。
【００２２】
まず、所定の情報生成装置によって受信装置２０Ａへの送信対象の情報（以下、「送信情報」とも言う。）ｘ１〜ｘＬ（Ｌは２以上の整数）が生成される。例えば、送信情報ｘ１〜ｘＬは、ユーザによる所定の開始操作に基づいて決定され、決定された送信情報ｘ１〜ｘＬが生成される。ここで、送信情報ｘ１〜ｘＬの種類は特に限定されない。例えば、送信情報ｘ１〜ｘＬは映像信号を含んでもよいし、音声信号を含んでもよいし、他の種類の信号を含んでもよい。なお、所定の情報生成装置は、送信装置１０Ａに組み込まれていてもよいし、送信装置１０Ａの外部に存在し、送信装置１０Ａと有線または無線を介して接続されていてもよい。
【００２３】
送信情報制御部１１４は、このようにして生成された送信情報ｘ１〜ｘＬそれぞれが対応するレーンに入力されるようにスイッチ部１０４を制御する。送信情報ｘ１〜ｘＬとレーン♯１（３０５−１）〜♯Ｍ（３０５−Ｍ）との対応関係は、あらかじめ制御情報（図５）として決定され、通知送信部１１２によって受信装置２０Ａに送信されてよい。また、後に説明するように、送信情報ｘ１〜ｘＬとレーン３０５−１〜３０５−Ｍとの対応関係は、動的に変更され得る。例えば、送信情報制御部１１４は、送信情報ｘ１が送信器１０５−１に繋がるレーンに対して入力されるようにスイッチ部１０４を制御する。
【００２４】
スイッチ部１０４は、送信情報ｘ１〜ｘＬそれぞれを、送信情報制御部１１４による制御に従って対応するレーンに入力する。後に説明するように、レーン３０５−１〜３０５−Ｍの中には、送信情報が入力されるレーンが存在し得る。また、レーン３０５−１〜３０５−Ｍの中には、送信情報が入力されないレーン（以下、「空きレーン」とも言う。）が存在し得る。
【００２５】
送信器１０５−１〜１０５−Ｍそれぞれは、送信情報が入力されたレーンに存在していれば、送信情報の入力を受ける。例えば、スイッチ部１０４から送信器１０５−１に繋がるレーンに対して送信情報ｘ１が入力された場合、送信器１０５−１には、送信情報ｘ１が入力される。一方、送信器１０５−１〜１０５−Ｍそれぞれは、送信情報が入力されないレーンに存在していれば、送信情報の入力を受けない。
【００２６】
図２は、送信器１０５の詳細構成の一例を示す図である。図２に示すように、送信器１０５は、伝送フレーム生成部１０５２、スクランブラ１０５３、符号化部１０５４、Ｐ／Ｓ（パラレルシリアル変換部）１０５５および送信部１０５６を備える。ここでは、伝送フレーム生成部１０５２、スクランブラ１０５３、符号化部１０５４、Ｐ／Ｓ１０５５および送信部１０５６それぞれの機能について説明する。
【００２７】
伝送フレーム生成部１０５２は、入力端子１０５１から送信情報が入力されると、送信情報をフレーム化することによりフレーム（以下、「伝送フレーム」とも言う。）を生成する。フレーム化はどのようになされてもよい。伝送フレーム生成部１０５２は、伝送フレームの先頭を示すフレーム開始識別子を送信情報に付することによってフレーム化を行ってもよい。以下では、フレーム化された送信情報のことを単に「送信情報」と称する場合がある。
【００２８】
フレーム開始識別子には、少なくとも送信情報には存在しない所定のコード（以下、「特殊データ」とも言う。）のいずれか一つが割り当てられている。例えば、特殊データは、レーン３０５を送受信されるデータの符号化に依存する。例えば、レーンを送受信されるデータの符号化にＡＮＳＩ  ８ｂ／１０ｂ変換が用いられる場合、特殊データには、Ｋコードが割り当てられてよい。例えば、フレーム開始識別子には、Ｋ２８．５と呼ばれているＫコード（０ｘＢＣ）がＮバイト連続したデータが割り当てられてよい。
【００２９】
スクランブラ１０５３は、送信情報に対してスクランブリングを行う。ここで、スクランブラ１０５３は、他のレーンに存在するスクランブラ１０５３によって行われるスクランブリングとは異なるスクランブリングを送信情報に対して行う。これによって、１のレーンが他のレーンおよびレーン以外に対して与えてしまう外乱を低減することが可能になる。
【００３０】
符号化部１０５４は、送信情報に対して符号化を行う。具体的には、符号化部１０５４は、送信情報に対して８ｂ／１０ｂ符号化を行う。このとき、符号化部１０５５は、送信情報のうち、フレーム開始識別子を対応する特殊データに置換し、フレーム開始識別子以外のデータを１０ビット単位のデータに置換してもよい。また、Ｐ／Ｓ１０５５は、符号化された送信情報を高速伝送に適した形式にすべくパラレルデータからシリアルデータに変換する。以下では、符号化された送信情報のことを単に「送信情報」と称する場合がある。
【００３１】
送信部１０５６は、入力端子１０５８を介した送信制御部１０９による制御に従って送信情報を送信する。具体的には、送信部１０５６は、送信制御部１０９によって起動された場合、送信情報の送信を開始する。送信情報は、出力端子１０５７から出力される。一方、送信部１０５６は、送信制御部１０９によって停止された場合には、送信情報の送信を停止する。
【００３２】
例えば、送信部１０５６は、ＬＤＤ（レーザダイオードドライバ）およびＬＤ（レーザダイオード）を有する。ＬＤＤはＬＤを駆動し、ＬＤはＬＤＤから入力された送信情報を出力端子１０５７から出力する。なお、本実施形態においては、レーンが光ファイバによって構成され、ＬＤが送信情報を光信号に変換してから受信装置２０Ａに送信する場合を想定する。しかし、送信情報の信号種類は限定されない。例えば、送信装置１０Ａは電気信号により送信情報を受信装置２０Ａに送信してもよい。
【００３３】
図１Ａに戻って説明を続ける。送信制御部１０９は、送信情報の送信を制御する。例えば、送信情報制御部１１４がレーン３０５−１に繋がる送信器１０５−１に送信情報ｘ１を入力するようにスイッチ部１０４を制御した場合、送信制御部１０８は、送信器１０５−１の送信部１０５６を起動することによって、レーン３０５−１による送信情報ｘ１の伝送が開始されるように制御する。また、送信制御部１０８は、送信情報が入力されない送信部１０５６を停止する。これによって、送信装置１０Ａの消費電力を低減することが可能となる。
【００３４】
要求受信部１１０は、受信装置２０Ａによって受信状態が所定の状態（第１の状態）よりも悪いレーン（以下、「第１のレーン」または「複製元レーン♯Ａ」とも言う。）が検出された場合、伝送路５０を介して受信装置２０Ａから送信された伝送レーン追加要求を受信する。受信状態としてはどのようなデータが利用されてもよい。例えば、受信状態は、送信情報のエラーレートが高いほど受信状態が悪いとされてもよいし、送信情報の振幅の低下度合いが大きいほど受信状態が悪いとされてもよい。
【００３５】
なお、伝送レーン追加要求は、受信状態が所定の状態よりも悪いレーンによって伝送される送信情報と同一の送信情報を伝送するレーン（以下、「第２のレーン」または「複製先レーン♯Ｂ」とも言う。）を追加する要求である。伝送レーン追加要求には、送信情報の識別情報とレーンの識別情報とが含まれ得る。要求取得部１１１は、要求受信部１１０によって受信された伝送レーン追加要求を取得する。要求取得部１１１によって取得された伝送レーン追加要求は、送信情報制御部１１４および送信制御部１０９に入力される。
【００３６】
送信情報制御部１１４は、要求取得部１１１によって伝送レーン追加要求が取得された場合に、伝送レーン追加要求に含まれる送信情報の識別情報を抽出する。そして、送信情報制御部１１４は、その識別情報によって識別される送信情報が複製先レーン♯Ｂに繋がる送信部１０５６に入力されるようにスイッチ部１０４を制御する。このとき、送信制御部１０９は、複製先レーン♯Ｂによる送信情報の伝送が開始されるように複製先レーン♯Ｂに繋がる送信部１０５６を制御する。複製先レーン♯Ｂによる送信情報の伝送が開始されると、通知生成部１１３は、伝送レーン追加通知を生成し、通知送信部１１２は、伝送レーン追加通知を受信装置２０Ａに送信してよい。
【００３７】
なお、上記したように、異なるレーンにおいては、異なるスクランブリングがなされ得る。すなわち、少なくとも、複製先レーン♯Ｂにより伝送される送信情報に対してなされるスクランブリングは、複製元レーン♯Ａにより伝送される送信情報に対してなされるスクランブリングと異なる。これにより、複製先レーン♯Ｂが複製元レーン♯Ａおよびレーン以外に対して与えてしまう外乱を低減することが可能になる。
【００３８】
送信制御部１０９は、複製先レーン♯Ｂによる送信情報の伝送が開始されてから所定の条件が満たされた場合に、複製元レーン♯Ａによる送信情報の伝送を停止する。かかる構成によれば、複製元レーン♯Ａと複製先レーン♯Ｂとにおいて重複伝送される区間が存在するため、複製元レーン♯Ａにおける伝送状態が悪化した場合にデータ受信が遅延したり途切れたりすることなく伝送に利用されるレーンの切り替えを行うことが可能となる。なお、送信情報制御部１１４は、所定の条件が満たされた場合、複製元レーン♯Ａへの送信情報の入力を停止するようにスイッチ部１０４を制御する。
【００３９】
本明細書においては、複製先レーン♯Ｂにより伝送された送信情報の受信装置２０Ａにおける受信状態が所定の状態（第２の状態）よりも良いことが検出された場合に受信装置２０Ａから送信された伝送停止要求を要求受信部１１０が受信する場合を主に想定する。より具体的に、複製先レーン♯Ｂにより伝送された送信情報の受信状態が複製元レーン♯Ａにより伝送された送信情報の受信状態よりも良いことが検出された場合に受信装置２０Ａから送信された伝送停止要求を要求受信部１１０が受信する場合を主に想定する。
【００４０】
かかる場合、所定の条件は、要求取得部１１１が伝送停止要求を取得するという条件であってよい。また、所定の状態（第２の状態）は、かかる例に限定されず、あらかじめ設定された閾値などであってもよい。また、当該所定の条件は、かかる例に限定されない。例えば、所定の条件は、複製先レーン♯Ｂによる伝送開始から所定の時間が経過したという条件であってもよい。
【００４１】
ここで、空きレーンが存在することが確認されてから、複製先レーン♯Ｂによる送信情報の伝送が開始されてもよい。すなわち、要求取得部１１１は、複製元レーン♯Ａにより伝送された送信情報の受信状態が所定の状態（第１の状態）よりも悪いことが検出された場合、かつ、空きレーンが存在する場合に、伝送レーン追加要求を取得してもよい。このとき、送信制御部１０９は、伝送レーン追加要求が取得された場合に、複製先レーン♯Ｂとして空きレーンによる送信情報の伝送を開始する。
【００４２】
一方、空きレーンが存在しないことが確認されたら、複製先レーン♯Ｂによる送信情報の伝送は開始されなくてよい。すなわち、送信制御部１０９は、複製元レーン♯Ａにより伝送された送信情報の受信状態が所定の状態（第１の状態）よりも悪いことが検出された場合であっても、空きレーンが存在しない場合には、複製先レーン♯Ｂによる送信情報の伝送を開始させなくてよい。
【００４３】
通知生成部１１３は、複製元レーン♯Ａによる伝送が停止された場合、伝送レーン停止通知を生成し、通知送信部１１２は、伝送路４０を介して伝送レーン停止通知を受信装置２０Ａに送信する。なお、本明細書においては、伝送路４０が光ファイバによって構成され、通知送信部１１２が伝送レーン停止通知を光信号に変換してから光信号を受信装置２０Ａに送信する場合を主に想定するが、伝送レーン停止通知の種類は限定されない。例えば、通知送信部１１２は、電気信号により伝送レーン停止通知を受信装置２０Ａに送信してもよい。
【００４４】
（１−２．受信装置の構成）
続いて、受信装置２０Ａの構成について説明する。図１Ｂに示すように、受信装置２０Ａは、スイッチ部２０４、受信器２０５−１〜２０５−Ｍ、受信制御部２０９、受信状態比較部２１０、通知受信部２１１、通知取得部２１２、要求送信部２１３、要求生成部２１４および受信情報制御部２１５を備える。受信器２０５−１〜２０５−Ｍそれぞれは、対応するレーン３０５−１〜３０５−Ｍに繋がっている。なお、受信器２０５−１〜２０５−Ｍの詳細な構成については、後に図３を参照しながら説明する。
【００４５】
図３は、受信器２０５の詳細構成の一例を示す図である。図３に示したように、受信器２０５は、受信部２０５７、Ｓ／Ｐ（シリアルパラレル変換部）２０５６、復号部２０５５、デスクランブラ２０５４、伝送フレームデコーダ２０５３および受信状態測定部２０５２を備える。ここでは、受信部２０５７、Ｓ／Ｐ２０５６、復号部２０５５、デスクランブラ２０５４、伝送フレームデコーダ２０５３および受信状態測定部２０５２それぞれの機能について説明する。
【００４６】
受信情報制御部２１５は、制御情報（図５）に基づいて、利用されるレーン（送信情報が割り当てられているレーン）によって受信された送信情報が利用されるようにスイッチ部２０４を制御する。制御情報は、通知受信部２１１によって送信装置１０Ａから受信されてよい。例えば、受信情報制御部２１５は、レーン３０５−１に繋がる受信器２０５−１から入力される送信情報ｘ１が利用されるようにスイッチ部２０４を制御する。
【００４７】
受信制御部２０９は、利用されるレーンによる受信を制御情報（図５）に基づいて制御する。例えば、具体的には、受信制御部２０９は、利用されるレーン（送信情報が割り当てられているレーン）に繋がる受信部２０５７を起動することによって、受信部２０５７による送信情報の受信を開始する。一方、受信制御部２０９は、利用されないレーン（送信情報が割り当てられていないレーン）に繋がる受信部２０５７を停止することによって、受信部２０５７による送信情報の受信を停止する。これによって、受信装置２０Ａの消費電力を低減することが可能となる。
【００４８】
受信部２０５７は、入力端子２０６０を介した受信制御部２０９による制御に従って送信情報を受信する。送信情報は、入力端子２０５８から入力される。受信部２０５７は、ＰＤ（フォトディテクタ）および増幅器を含む。ここで、ＰＤは、送信装置１０Ａから送信された送信情報を、入力端子２０５８を介して受信する。
【００４９】
ＰＤは、送信装置１０Ａから光信号によって送信された送信情報を受光して電気信号に変換する。なお、本明細書においては、レーン３０５が光ファイバによって構成され、ＰＤが送信情報を受光して電気信号に変換する場合を想定するが、上記したように、送信装置１０Ａから受信装置２０Ａに送信される信号の種類は限定されない。例えば、受信装置２０Ａは電気信号により送信情報を送信装置１０Ａから受信してもよい。
【００５０】
増幅器は、ＰＤから出力された電気信号としての送信情報を増幅し、増幅した送信情報をＳ／Ｐ２０５６に出力する。例えば、増幅器は、電流信号に対してインピーダンス変換を行うことによって電圧信号を得た後、電圧信号に対して振幅増幅を行ってよい。Ｓ／Ｐ２０５６は、送信情報の形式をシリアルデータからパラレルデータに変換する。
【００５１】
復号部２０５５は、パラレルデータに変換された送信情報を復号する。具体的には、復号部２０５５は、送信情報に対して８ｂ／１０ｂ復号を行ってもよい。例えば、復号部２０５５は、この送信情報のうち、フレーム開始識別子に対応する１０ビットの特殊データを、フレーム開始識別子に置換してもよい。一方、復号部２０５５は、送信情報のうち、残りのデータも８ビットデータに置換してもよい。デスクランブラ２０５４は、送信情報に対してデスクランブリング（送信情報に対して行われたデスクランブリングの解除）を行う。
【００５２】
伝送フレームデコーダ２０５３は、入力される送信情報がフレーム化されているため、このフレーム化を解除する。より詳細には、伝送フレームデコーダ２０５３は、特殊コードから置換されたフレーム開始識別子の位置を伝送フレームの先頭の位置として検出する。伝送フレームデコーダ２０５３は、フレーム開始識別子の位置に基づいて送信情報を取得する。
【００５３】
受信状態測定部２０５２は、送信情報の受信状態を測定する。受信状態としては、上記したようにどのようなデータが利用されてもよい。受信状態は、出力端子２０５９を介して受信状態比較部２１０に出力される。また、送信情報は、出力端子２０５１を介してスイッチ部２０４に入力される。
【００５４】
受信状態比較部２１０は、伝送に利用されているレーンの受信状態と所定の状態（第１の状態）とを比較する。かかる比較によって、受信状態比較部２１０は、受信状態が所定の状態（第１の状態）よりも悪いレーンを検出する。受信状態比較部２１０は、受信状態が所定の状態（第１の状態）よりも悪いレーンを検出した場合、要求生成部２１４にそのレーンの識別情報を入力する。かかる比較は、通知受信部２１１によって伝送レーン追加通知が受信され、通知取得部２１２によって伝送レーン追加通知が取得された場合になされ得る。
【００５５】
要求生成部２１４は、受信状態比較部２１０によって受信状態が所定の状態（第１の状態）よりも悪いレーン（複製元レーン♯Ａ）が検出された場合、伝送レーン追加要求を生成する。要求送信部２１３は、要求生成部２１４によって生成された伝送レーン追加要求を、伝送路５０を介して送信装置１０Ａに送信する。上記したように、伝送レーン追加要求には、送信情報の識別情報とレーンの識別情報とが含まれ得る。
【００５６】
受信制御部２０９は、複製元レーン♯Ａの他に複製先レーン♯Ｂによって伝送開始された送信情報の受信を制御する。そして、上記したように、複製先レーン♯Ｂによる送信情報の伝送が開始されてから所定の条件が満たされると、複製元レーン♯Ａによる送信情報の伝送が停止される。かかる構成によれば、複製元レーン♯Ａと複製先レーン♯Ｂとにおいて重複伝送される区間が存在するため、複製元レーン♯Ａにおける伝送状態が悪化した場合にデータ受信が遅延したり途切れたりすることなく伝送に利用されるレーンの切り替えを行うことが可能となる。
【００５７】
より具体的には、受信制御部２０９は、複製元レーン♯Ａに繋がる受信部２０５７を起動することによって、複製先レーン♯Ｂに繋がる受信部２０５７による送信情報の受信が開始されるように制御する。受信状態比較部２１０は、複製先レーン♯Ｂにより伝送された送信情報の受信状態と所定の状態（第２の状態）とを比較する。受信状態比較部２１０は、複製先レーン♯Ｂにより伝送された送信情報の受信状態が所定の状態（第２の状態）よりも良いことを検出した場合、要求生成部２１４にそのレーンの識別情報を入力する。
【００５８】
かかる場合、受信情報制御部２１５は、複製元レーン♯Ａの代わりに、複製先レーン♯Ｂに繋がる受信器２０５から入力される送信情報が利用されるようにスイッチ部２０４を制御する。また、かかる場合、受信制御部２０９は、複製元レーン♯Ａによる送信情報の受信を停止する。より具体的には、受信制御部２０９は、複製元レーン♯Ａに繋がる受信部２０５７を停止することによって、複製元レーン♯Ａによる送信情報の受信を停止する。
【００５９】
要求生成部２１４は、複製先レーン♯Ｂにより伝送された送信情報の受信状態が所定の状態（第２の状態）よりも良いことが検出された場合、伝送停止要求を生成する。要求送信部２１３は、要求生成部２１４によって生成された伝送停止要求を、伝送路５０を介して送信装置１０Ａに送信する。伝送停止要求には、送信情報の識別情報とレーンの識別情報とが含まれ得る。伝送停止要求が送信装置１０Ａによって受信されると、送信装置１０Ａから複製元レーン♯Ａによる送信情報の伝送が停止される。
【００６０】
通知受信部２１１は、送信装置１０Ａから伝送路４０を介して伝送レーン停止通知を受信し、通知取得部２１２は、通知受信部２１１によって受信された伝送レーン停止通知を取得する。通知取得部２１２による伝送レーン停止通知の取得により、受信装置２０Ａにおいても、複製元レーン♯Ａによる送信情報の伝送が停止されたことが確認される。その後、送信装置１０Ａは、送信情報を送信している状態に戻り、受信装置２０Ａは、送信情報を受信している状態に戻る。
【００６１】
（１−３．動作の説明）
続いて、本開示の第１の実施形態に係る信号伝送システム１Ａの動作の例について説明する。図４は、本開示の第１の実施形態に係る信号伝送システム１Ａの動作の例を示すフローチャートである。また、図５は、制御情報の例を示す図である。図５に示すように、送信情報ｘ１〜ｘＬとレーン♯１（３０５−１）〜♯Ｍ（３０５−Ｍ）との対応関係は、あらかじめ制御情報として決定され、通知送信部１１２によって受信装置２０Ａに送信される。
【００６２】
送信情報制御部１１４は、送信情報ｘ１〜ｘＬそれぞれが対応するレーンに入力されるようにスイッチ部１０４を制御する。スイッチ部１０４は、送信情報ｘ１〜ｘＬそれぞれを、送信情報制御部１１４による制御に従って対応するレーンに入力する。これによって、送信装置１０Ａは、送信情報を送信している状態となる（Ｓ１０１）。
【００６３】
制御情報は、通知受信部２１１によって送信装置１０Ａから受信される。受信情報制御部２１５は、制御情報に基づいて、利用されるレーン（送信情報が割り当てられているレーン）によって受信された送信情報が利用されるようにスイッチ部２０４を制御する。受信制御部２０９は、利用されるレーンによる受信を制御情報（図５）に基づいて制御する。これによって、受信装置２０Ａは、送信情報を受信している状態となる（Ｓ２０１）。
【００６４】
受信状態測定部２０５２は、送信情報の受信状態を測定する。受信状態は、出力端子２０５９を介して受信状態比較部２１０に出力される。受信状態比較部２１０は、伝送に利用されているレーンの受信状態と所定の状態（第１の状態）とを比較し、受信状態が所定の状態（第１の状態）よりも悪いレーンを検出した場合（Ｓ２０２）、要求生成部２１４にそのレーンの識別情報を入力する。
【００６５】
要求生成部２１４は、複製元レーン♯Ａにおける送信情報を複製元レーン♯Ａと空きレーン♯Ｂ（複製先レーン♯Ｂ）に送信させるための伝送レーン追加要求を生成し、要求送信部２１３は、要求生成部２１４によって生成された伝送レーン追加要求を、伝送路５０を介して送信装置１０Ａに送信する（Ｓ２０３）。要求受信部１１０は、伝送路５０を介して受信装置２０Ａから送信された伝送レーン追加要求を受信する。要求取得部１１１は、要求受信部１１０によって受信された伝送レーン追加要求を取得する。
【００６６】
送信情報制御部１１４は、要求取得部１１１によって伝送レーン追加要求が取得された場合に、伝送レーン追加要求において指定された送信情報が複製先レーン♯Ｂに繋がる送信部１０５６に入力されるようにスイッチ部１０４を制御する。このとき、送信制御部１０９は、複製先レーン♯Ｂによる送信情報の伝送が開始されるように複製先レーン♯Ｂに繋がる送信部１０５６を制御する。これにより、複製元レーン♯Ａにおける送信情報が複製元レーン♯Ａおよび複製先レーン♯Ｂにより伝送される（Ｓ１０４）。通知生成部１１３は、伝送レーン追加通知を生成し、通知送信部１１２は、伝送レーン追加通知を受信装置２０Ａに送信する（Ｓ１０５）。
【００６７】
続いて、受信状態測定部２０５２は、複製元レーン♯Ａおよび複製先レーン♯Ｂの受信状態を測定する（Ｓ２０６）。そして、通知受信部２１１によって伝送レーン追加通知が受信され、通知取得部２１２によって伝送レーン追加通知が取得された場合、受信状態比較部２１０は、複製先レーン♯Ｂの受信状態が複製元レーン♯Ａの受信状態よりも良いか否かを判断する（Ｓ２０７）。複製先レーン♯Ｂの受信状態が複製元レーン♯Ａの受信状態よりも悪いと判断された場合（Ｓ２０７において「Ｎｏ」）、複製先レーン♯Ｂが他の空きレーンによって更新され、動作がＳ２０３に移行される。
【００６８】
一方、複製先レーン♯Ｂの受信状態が複製元レーン♯Ａの受信状態よりも良いと判断された場合（Ｓ２０７において「Ｙｅｓ」）、受信情報制御部２１５は、複製先レーン♯Ｂの受信情報（送信情報）を利用するように切り替えを行う（Ｓ２０８）。そして、要求生成部２１４は、伝送停止要求を生成し、要求送信部２１３は、要求生成部２１４によって生成された伝送停止要求を、伝送路５０を介して送信装置１０Ａに送信する（Ｓ２０９）。
【００６９】
要求受信部１１０によって伝送停止要求が受信され、要求取得部１１１によって伝送停止要求が取得されると、送信制御部１０９は、複製元レーン♯Ａによる送信情報の伝送を停止する（Ｓ１１０）。そして、送信情報制御部１１４は、複製元レーン♯Ａへの送信情報の入力を停止するようにスイッチ部１０４を制御する。通知生成部１１３は、複製元レーン♯Ａによる伝送が停止された場合、伝送レーン停止通知を生成し、通知送信部１１２は、伝送路４０を介して伝送レーン停止通知を受信装置２０Ａに送信する（Ｓ１１１）。
【００７０】
続いて、通知受信部２１１は、送信装置１０Ａから伝送路４０を介して伝送レーン停止通知を受信する。そして、通知取得部２１２は、通知受信部２１１によって受信された伝送レーン停止通知を取得する。通知取得部２１２による伝送レーン停止通知の取得により、受信装置２０Ａにおいても、複製元レーン♯Ａによる送信情報の伝送が停止されたことが確認される（Ｓ２１２）。その後、送信装置１０Ａは、送信情報を送信している状態に戻り（Ｓ１１２）、受信装置２０Ａは、送信情報を受信している状態に戻る（Ｓ２１３）。
【００７１】
（２．第２の実施形態）
続いて、第２の実施形態について説明する。図６Ａおよび図６Ｂは、第２の実施形態に係る信号伝送システム１Ｂの構成の一例を示す図である。図６Ａおよび図６Ｂに示すように、信号伝送システム１Ｂは、送信装置１０Ｂと受信装置２０Ｂとを有する。第２の実施形態に係る送信装置１０Ｂは、パラメータ制御部１１５を有する点が第１の実施形態に係る送信装置１０Ａと主に異なっている。また、第２の実施形態に係る受信装置２０Ｂは、要求生成部２１４の代わりに要求生成部２１４＃を有する点が第１の実施形態に係る受信装置２０Ａと主に異なっている。第２の実施形態においては、第１の実施形態と異なる構成を主に説明する。
【００７２】
（２−１．送信装置の構成）
続いて、送信装置１０Ｂの構成について説明する。図７は、第２の実施形態に係る制御情報の例を示す図である。送信情報制御部１１４は、送信情報ｘ１〜ｘＬそれぞれが対応するレーンに入力されるようにスイッチ部１０４を制御する。送信情報ｘ１〜ｘＬとレーン♯１（３０５−１）〜♯Ｍ（３０５−Ｍ）との対応関係は、あらかじめ制御情報（図７）として決定され、通知送信部１１２によって受信装置２０Ｂに送信されてよい。スイッチ部１０４は、送信情報ｘ１〜ｘＬそれぞれを、送信情報制御部１１４による制御に従って対応するレーンに入力する。
【００７３】
送信部１０５６は、入力端子１０５８を介した送信制御部１０９による制御とパラメータ制御部１１５による信号パラメータ制御に従って送信情報を送信する。具体的には、送信部１０５６は、送信制御部１０９によって起動された場合、送信情報の送信を開始する。一方、送信部１０５６は、送信制御部１０９によって停止された場合には、送信情報の送信を停止する。また、送信部１０５６は、パラメータ制御部１１５による制御に従って、制御情報（図７）に応じた信号パラメータの送信情報を送信する。
【００７４】
信号パラメータは、送信情報に関する情報であれば限定されない。例えば、信号パラメータは、送信情報の信号振幅であってもよい。信号振幅は大きいほど受信状態が良くなり、小さいほど消費電力が抑えられることが想定される。
【００７５】
また、パラメータ制御部１１５は、伝送レーン追加要求によって信号パラメータが指定されている場合、信号パラメータに従って複製先レーン♯Ｂによる伝送開始時の信号パラメータを制御する。これによって、複製先レーン♯Ｂによる伝送開始時における送信情報の信号パラメータが指定され得る。
【００７６】
また、パラメータ制御部１１５は、複製先レーン♯Ｂにより伝送された送信情報の受信状態が所定の状態（第３の状態）よりも良いことが検出されるまで、複製先レーン♯Ｂにより伝送される送信情報の信号パラメータを受信状態が良くなるように変更してもよい。これによって、複製先レーン♯Ｂの受信状態を所定の状態（第３の状態）よりも良い受信状態に維持することが可能となる。
【００７７】
あるいは、パラメータ制御部１１５は、複製先レーン♯Ｂにより伝送された送信情報の受信状態が所定の状態（第３の状態）よりも悪いことが検出されるまで、複製先レーン♯Ｂにより伝送される送信情報の信号パラメータを受信状態が悪くなるように変更してもよい。これによって、複製先レーン♯Ｂによって消費される電力を抑えることが可能となる。
【００７８】
（２−２．受信装置の構成）
続いて、受信装置２０Ｂの構成について説明する。要求生成部２１４＃は、受信状態比較部２１０によって受信状態が所定の状態（第１の状態）よりも悪いレーン（複製元レーン♯Ａ）が検出された場合、伝送レーン追加要求を生成する。要求送信部２１３は、要求生成部２１４によって生成された伝送レーン追加要求を、伝送路５０を介して送信装置１０Ａに送信する。伝送レーン追加要求には、送信情報の識別情報とレーンの識別情報との他に、信号パラメータが含まれ得る。
【００７９】
（３．第３の実施形態）
続いて、第３の実施形態について説明する。図８Ａおよび図８Ｂは、第３の実施形態に係る信号伝送システム１Ｃの構成の一例を示す図である。図８Ａおよび図８Ｂに示すように、信号伝送システム１Ｃは、送信装置１０Ｃと受信装置２０Ｃとを有する。第３の実施形態に係る送信装置１０Ｃは、通知送信部１１２および通知生成部１１３の代わりに、ＭＵＸ部１１６およびＭＵＸ用スイッチ部１１７を有する点が第１の実施形態に係る送信装置１０Ａと主に異なっている。また、第３の実施形態に係る受信装置２０Ｃは、通知受信部２１１および通知取得部２１２の代わりにＤＥＭＵＸ部２１６およびＤＥＭＵＸ用スイッチ部２１７を有する点が第１の実施形態に係る受信装置２０Ａと主に異なっている。第３の実施形態においては、第１の実施形態と異なる構成を主に説明する。
【００８０】
（３−１．送信装置の構成）
続いて、送信装置１０Ｃの構成について説明する。図９は、第３の実施形態に係る制御情報の例を示す図である。送信情報制御部１１４は、制御情報（図９）がＭＵＸ部１１６に入力されるようにＭＵＸ用スイッチ部１１７を制御する。また、送信情報制御部１１４は、ＭＵＸ部１１６からスイッチ部１０４に制御情報が出力されると、制御情報が制御情報用レーン（図９に示した例では、レーン♯２）に繋がる送信部１０５６に入力されるようにスイッチ部１０４を制御する。なお、制御情報用レーンは、伝送レーン追加通知および伝送レーン停止通知の伝送にも利用される。
【００８１】
また、送信情報制御部１１４は、要求取得部１１１によって伝送レーン追加要求が取得された場合に、伝送レーン追加要求に含まれる送信情報の識別情報を抽出する。そして、送信情報制御部１１４は、その識別情報によって識別される送信情報がＭＵＸ部１１６に入力されるようにＭＵＸ用スイッチ部１１７を制御する。また、送信情報制御部１１４は、送信情報が制御情報と同一の信号線に混合されるようにＭＵＸ部１１６を制御する。送信情報制御部１１４は、ＭＵＸ部１１６から出力された送信情報が制御情報用のレーンに入力されるようにスイッチ部１０４を制御する。
【００８２】
送信制御部１０９は、要求取得部１１１によって伝送レーン追加要求が取得された場合、送信情報の制御情報用のレーンによる送信を制御する。送信部１０５６は、入力端子１０５８を介した送信制御部１０９による制御に従って送信情報を送信する。具体的には、送信部１０５６は、送信制御部１０９によって起動された場合、送信情報の制御情報用のレーンによる送信を開始する。このように制御情報が制御情報用のレーンによって送信されることによって、レーン利用による消費電力を抑えるとともに、レーンの利用本数を抑えることが可能となる。
【００８３】
（３−２．受信装置の構成）
続いて、受信装置２０Ｄの構成について説明する。受信情報制御部２１５は、制御情報（図９）に基づいて、制御情報用のレーンによって受信された送信情報がＤＥＭＵＸ部２１６に入力されるようにスイッチ部２０４を制御する。また、受信情報制御部２１５は、同一の信号線に混合されている送信情報と制御情報とが分離されるようにＤＥＭＵＸ部２１６を制御する。
【００８４】
また、受信情報制御部２１５は、送信情報がＤＥＭＵＸ用スイッチ部２１７に入力されるように制御し、制御情報が通知受信部２１１に入力されるようにＤＥＭＵＸ部２１６を制御する。なお、伝送レーン追加通知および伝送レーン停止通知も通知受信部２１１に入力される。受信情報制御部２１５は、複製先レーン♯Ｂにより伝送された送信情報の受信装置２０Ａにおける受信状態が所定の状態（第２の状態）よりも良いことが検出された場合、複製先レーン♯Ｂの受信情報（送信情報）を利用するようにＤＥＭＵＸ用スイッチ部２１７を制御する。
【００８５】
（４．第４の実施形態）
続いて、第４の実施形態について説明する。図１０Ａおよび図１０Ｂは、第４の実施形態に係る信号伝送システム１Ｄの構成の一例を示す図である。図１０Ａおよび図１０Ｂに示すように、信号伝送システム１Ｄは、送信装置１０Ｄと受信装置２０Ｄとを有する。第４の実施形態に係る送信装置１０Ｄは、画像分割部１１８および固定パターン制御部１２０を有する点が第１の実施形態に係る送信装置１０Ａと主に異なっている。また、第４の実施形態に係る受信装置２０Ｄは、画像結合部２１８を有する点が第１の実施形態に係る受信装置２０Ａと主に異なっている。第４の実施形態においては、第１の実施形態と異なる構成を主に説明する。
【００８６】
（４−１．送信装置の構成）
続いて、送信装置１０Ｄの構成について説明する。第４の実施形態においては、送信情報が映像情報である場合を想定する。映像情報には、Ａｃｔｉｖｅ  ｖｉｄｅｏ領域と次のＡｃｔｉｖｅ  ｖｉｄｅｏ領域との間に、水平ブランキング区間（以下、「Ｈ．ｂｌａｎｋｉｎｇ区間」とも言う。）、および、垂直ブランキング区間（以下、「Ｖ．ｂｌａｎｋｉｎｇ区間」とも言う。）が含まれるのが一般的である。図１１は、送信器１０５の詳細構成の一例を示す図である。
【００８７】
図１２は、第４の実施形態において複数のレーンそれぞれを伝送される送信情報の例を示す図である。図１２に示すように、複製元レーン♯Ａおよび複製先レーン♯Ｂそれぞれを伝送される送信情報には、映像データ３０５１に続いて垂直ブランキング区間３０５２が現れる。また、送信制御部１０９は、複製元レーン♯Ａによる伝送停止に応じて、複製元レーン♯Ａを伝送される送信情報に停止パターン３０５５を付する。一方、送信制御部１０９は、複製先レーン♯Ｂによる伝送開始に応じて、複製先レーン♯Ｂを伝送される送信情報に開始パターン３０５３を付する。
【００８８】
このとき、画像分割部１１８は、送信情報を複数に分割する。複数に分割された送信情報それぞれは、レーン３０５−１〜３０５−Ｍのうち伝送に利用されるレーン（例えば、複製元レーン♯Ａなどを含む）に入力され、受信装置２０Ｄに送信される。ここで、送信制御部１０９は、受信装置２０Ｄから伝送レーン追加要求が取得された場合に、複製元レーン♯Ａによって伝送される送信情報に含まれる垂直ブランキング区間に応じて、複製先レーン♯Ｂによる受信装置２０Ｄへの送信情報の伝送を開始する。
【００８９】
より具体的には、図１２に示すように、送信制御部１０９は、複製元レーン♯Ａによって伝送される送信情報に含まれる垂直ブランキング区間に、複製先レーン♯Ｂによる受信装置２０Ｄへの送信情報に付される開始パターン３０５３の先頭位置３０５４が属するように複製先レーン♯Ｂの伝送を開始する。これによって、複製先レーン♯Ｂによる伝送開始によって複製元レーン♯Ａに与えられる外乱の影響（伝送状態の悪化）が抑制される。
【００９０】
また、送信制御部１０９は、受信装置２０Ｄから伝送停止要求が取得された場合に、複製先レーン♯Ｂによって伝送される送信情報に含まれる垂直ブランキング区間に応じて、複製元レーン♯Ａによる受信装置２０Ｄへの送信情報の伝送を停止する。
【００９１】
より具体的には、図１２に示すように、送信制御部１０９は、複製先レーン♯Ｂによって伝送される送信情報に含まれる垂直ブランキング区間に、複製先レーン♯Ａによる受信装置２０Ｄへの送信情報に付される停止パターン３０５５の終端位置３０５６が属するように複製元レーン♯Ａの伝送を停止する。これによって、複製元レーン♯Ａによる伝送停止によって複製先レーン♯Ｂに与えられる外乱の影響（伝送状態の悪化）が抑制される。
【００９２】
図１３は、第４の実施形態において複数のレーンそれぞれを伝送される送信情報の他の例を示す図である。図１３に示すように、複製元レーン♯Ａおよび複製先レーン♯Ｂ以外に、伝送レーン♯Ｃが存在する場合を想定する。伝送レーン♯Ｃを伝送される送信情報にも同様に、映像データに続いて垂直ブランキング区間が現れる。
【００９３】
ここで、固定パターン制御部１２０は、複製元レーン♯Ａによって伝送される送信情報に含まれる複数のブランキング区間のうち、複製先レーン♯Ｂによる伝送開始に応じたブランキング区間に所定の固定パターン３０５７が設定されるようにセレクタ１０５１０を制御する。固定パターン３０５７は、固定パターン生成部１０５９によって生成される。
【００９４】
より具体的には、図１３に示すように、固定パターン制御部１２０は、複製元レーン♯Ａによって伝送される送信情報に含まれる垂直ブランキング区間のうち、複製先レーン♯Ｂによる受信装置２０Ｄへの送信情報に付される開始パターン３０５３の先頭位置３０５４が属する垂直ブランキング区間に、固定パターン３０５７が設定されるようにセレクタ１０５１０を制御する。これによって、複製先レーン♯Ｂによる伝送開始によって複製先レーン♯Ａに与えられる外乱によるクロック同期外れに対する耐性を向上させることができる。
【００９５】
同様に、固定パターン制御部１２０は、伝送レーン♯Ｃによって伝送される送信情報に含まれる複数のブランキング区間のうち、複製先レーン♯Ｂによる伝送開始に応じたブランキング区間に所定の固定パターン３０５７が設定されるようにセレクタ１０５１０を制御してよい。これによって、複製先レーン♯Ｂによる伝送開始によって伝送レーン♯Ｃに与えられる外乱によるクロック同期外れに対する耐性を向上させることができる。
【００９６】
また、固定パターン制御部１２０は、複製先レーン♯Ｂによって伝送される送信情報に含まれる複数のブランキング区間のうち、複製元レーン♯Ａによる伝送停止に応じたブランキング区間に所定の固定パターンが設定されるようにセレクタ１０５１０を制御してよい。これによって、複製元レーン♯Ａによる伝送停止によって複製先レーン♯Ｂに与えられる外乱によるクロック同期外れに対する耐性を向上させることができる。
【００９７】
同様に、固定パターン制御部１２０は、伝送レーン♯Ｃによって伝送される送信情報に含まれる複数のブランキング区間のうち、複製元レーン♯Ａによる伝送停止に応じたブランキング区間に所定の固定パターンが設定されるようにセレクタ１０５１０を制御してよい。これによって、複製元レーン♯Ａによる伝送停止によって伝送レーン♯Ｃに与えられる外乱によるクロック同期外れに対する耐性を向上させることができる。
【００９８】
図１４は、第４の実施形態において複数のレーンそれぞれを伝送される送信情報の他の例を示す図である。図１３に示した場合と同様に、図１４に示す例においても、複製元レーン♯Ａおよび複製先レーン♯Ｂ以外に、伝送レーン♯Ｃが存在する場合を想定する。伝送レーン♯Ｃを伝送される送信情報にも同様に、映像データに続いて垂直ブランキング区間が現れる。
【００９９】
ここで、送信制御部１０９は、複製元レーン♯Ａによって伝送される送信情報に含まれる複数のブランキング区間のうち、複製先レーン♯Ｂによる伝送開始に応じたブランキング区間の伝送をキャンセルする。
【０１００】
より具体的には、図１４に示すように、送信制御部１０９は、複製元レーン♯Ａによって伝送される送信情報に含まれる垂直ブランキング区間のうち、複製先レーン♯Ｂによる受信装置２０Ｄへの送信情報に付される開始パターン３０５３の先頭位置３０５４が属する垂直ブランキング区間の伝送をキャンセルする（停止パターンおよび開始パターンの送信を制御する）。これによって、複製先レーン♯Ｂによる伝送開始によって複製元レーン♯Ａに与えられる外乱の影響（伝送状態の悪化）が抑制される。
【０１０１】
同様に、送信制御部１０９は、伝送レーン♯Ｃによって伝送される送信情報に含まれる垂直ブランキング区間のうち、複製先レーン♯Ｂによる受信装置２０Ｄへの送信情報に付される開始パターン３０５３の先頭位置３０５４が属する垂直ブランキング区間の伝送をキャンセルしてよい。これによって、複製先レーン♯Ｂによる伝送開始によって伝送レーン♯Ｃに与えられる外乱の影響（伝送状態の悪化）が抑制される。
【０１０２】
また、送信制御部１０９は、複製先レーン♯Ｂによって伝送される送信情報に含まれる垂直ブランキング区間のうち、複製元レーン♯Ａによる受信装置２０Ｄへの送信情報に付される停止パターン３０５５の終端位置３０５６が属する垂直ブランキング区間の伝送をキャンセルしてよい（停止パターンおよび開始パターンの送信を制御する）。これによって、複製元レーン♯Ａによる伝送停止によって複製先レーン♯Ｂに与えられる外乱の影響（伝送状態の悪化）が抑制される。
【０１０３】
同様に、送信制御部１０９は、伝送レーン♯Ｃによって伝送される送信情報に含まれる垂直ブランキング区間のうち、複製元レーン♯Ａによる受信装置２０Ｄへの送信情報に付される停止パターン３０５５の終端位置３０５６が属する垂直ブランキング区間の伝送をキャンセルしてよい（停止パターンおよび開始パターンの送信を制御する）。これによって、複製元レーン♯Ａによる伝送停止によって伝送レーン♯Ｃに与えられる外乱の影響（伝送状態の悪化）が抑制される。
【０１０４】
（３−２．受信装置の構成）
続いて、受信装置２０Ｂの構成について説明する。画像結合部２１８には、スイッチ部２０４から複数の送信情報が入力される。また、画像結合部２１８は、スイッチ部２０４から入力された複数の送信情報を結合する。画像結合部２１８による結合によって得られた送信情報は、受信情報として利用される。
【０１０５】
（５．むすび）
以上説明したように、本開示の実施形態によれば、第１のレーンにより伝送された送信情報の受信装置による受信状態が所定の第１の状態よりも悪いことが検出された場合に前記受信装置から送信された伝送レーン追加要求を取得する要求取得部と、前記伝送レーン追加要求が取得された場合に、前記第１のレーンの他に第２のレーンによる前記受信装置への送信情報の伝送を開始する送信制御部と、を備え、前記送信制御部は、前記第２のレーンによる前記送信情報の伝送が開始されてから所定の条件が満たされた場合に、前記第１のレーンによる前記送信情報の伝送を停止する、送信制御装置が提供される。
【０１０６】
かかる構成によれば、レーンにおける伝送状態が悪化した場合にデータ受信が遅延したり途切れたりすることなく伝送に利用されるレーンの切り替えを行うことが可能となる。
【０１０７】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１０８】
例えば、上記においては、送信制御部１０９が送信部１０５６を起動させたり、送信部１０５６を停止させたりする例を説明した。しかし、送信制御部１０９は、送信器１０５の全体を起動させたり、送信器１０５の全体を停止させたりすることも可能である。そうすれば、消費電力をさらに低減することが可能となる。同様に、上記においては、受信制御部２０９が受信部２０５７を起動させたり、受信部２０５７を停止させたりする例を説明した。しかし、受信制御部２０９は、受信器２０５の全体を起動させたり、受信器２０５の全体を停止させたりすることも可能である。
【０１０９】
また、例えば、上記においては、伝送フレーム生成部１０５２、スクランブラ１０５３、符号化部１０５４およびＰ／Ｓ１０５５が、レーン３０５−１〜３０５−Ｍそれぞれに接続された送信部１０５６のすべてに対して個別に設けられている。しかし、伝送フレーム生成部１０５２、スクランブラ１０５３、符号化部１０５４およびＰ／Ｓ１０５５の一部または全部は、これらの送信部１０５６それぞれに対して共通化されていてもよい。
【０１１０】
同様に、上記においては、受信状態測定部２０５２、伝送フレームデコーダ２０５３、デスクランブラ２０５４、復号部２０５５およびＳ／Ｐ２０５６が、レーン３０５−１〜３０５−Ｍそれぞれに接続された受信部２０５７のすべてに対して個別に設けられている。しかし、受信状態測定部２０５２、伝送フレームデコーダ２０５３、デスクランブラ２０５４、復号部２０５５およびＳ／Ｐ２０５６の一部または全部は、これらの受信部２０５７それぞれに対して共通化されていてもよい。
【０１１１】
また、例えば、送信装置１０が備える各機能ブロックは、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、受信装置２０が備える各機能ブロックは、別個のＩＣに実装されてもよいし、いずれかの組み合わせが同一のＩＣに実装されてもよい。
【０１１２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【０１１３】
なお、以下のような構成も本開示の技術的範囲に属する。
（１）
第１のレーンにより伝送された送信情報の受信装置による受信状態が所定の第１の状態よりも悪いことが検出された場合に前記受信装置から送信された伝送レーン追加要求を取得する要求取得部と、
前記伝送レーン追加要求が取得された場合に、前記第１のレーンの他に第２のレーンによる前記受信装置への送信情報の伝送を開始する送信制御部と、を備え、
前記送信制御部は、前記第２のレーンによる前記送信情報の伝送が開始されてから所定の条件が満たされた場合に、前記第１のレーンによる前記送信情報の伝送を停止する、
送信制御装置。
（２）
前記送信制御装置は、
前記伝送レーン追加要求が取得された場合に、前記送信情報を前記第２のレーンに繋がる送信部に入力する送信情報制御部を備え、
前記送信制御部は、前記伝送レーン追加要求が取得された場合に、前記送信部に入力された前記送信情報の前記第２のレーンを介した送信が開始されるように前記送信部を制御する、
前記（１）に記載の送信制御装置。
（３）
前記要求取得部は、前記第２のレーンにより伝送された前記送信情報の受信状態が所定の第２の状態よりも良いことが検出された場合に前記受信装置から送信された伝送停止要求を取得し、
前記送信制御部は、前記伝送停止要求が取得された場合に、前記第１のレーンによる前記送信情報の伝送を停止する、
前記（１）または（２）に記載の送信制御装置。
（４）
前記要求取得部は、前記第２のレーンにより伝送された前記送信情報の受信状態が前記第１のレーンにより伝送された前記送信情報の受信状態よりも良いことが検出された場合に前記受信装置から送信された伝送停止要求を取得する、
前記（３）に記載の送信制御装置。
（５）
前記要求取得部は、前記第１のレーンにより伝送された送信情報の受信状態が前記所定の第１の状態よりも悪いことが検出された場合、かつ、空きレーンが存在する場合に、前記伝送レーン追加要求を取得し、
前記送信制御部は、前記伝送レーン追加要求が取得された場合に、前記第２のレーンとして空きレーンによる前記送信情報の伝送を開始する、
前記（１）〜（４）のいずれか一項に記載の送信制御装置。
（６）
前記送信制御部は、前記第１のレーンにより伝送された送信情報の受信状態が前記所定の第１の状態よりも悪いことが検出された場合、かつ、空きレーンが存在しない場合に、前記第２のレーンによる前記送信情報の伝送を開始させない、
前記（１）〜（５）のいずれか一項に記載の送信制御装置。
（７）
少なくとも、前記第１のレーンにより伝送される前記送信情報と前記第２のレーンにより伝送される前記送信情報とに対して、異なるスクランブリングがなされる、
前記（１）〜（６）のいずれか一項に記載の送信制御装置。
（８）
前記送信制御装置は、
前記伝送レーン追加要求によって信号パラメータが指定されている場合、前記信号パラメータに従って前記第２のレーンによる伝送開始時の信号パラメータを制御するパラメータ制御部を備える、
前記（１）〜（７）のいずれか一項に記載の送信制御装置。
（９）
前記送信制御装置は、
前記第２のレーンにより伝送された前記送信情報の受信状態が第３の状態よりも良いことが検出されるまで、前記第２のレーンにより伝送される前記送信情報の信号パラメータを前記受信状態が良くなるように変更するパラメータ制御部を備える、
前記（１）〜（７）のいずれか一項に記載の送信制御装置。
（１０）
前記送信制御装置は、
前記第２のレーンにより伝送された前記送信情報の受信状態が第３の状態よりも悪いことが検出されるまで、前記第２のレーンにより伝送される前記送信情報の信号パラメータを前記受信状態が悪くなるように変更するパラメータ制御部を備える、
前記（１）〜（７）のいずれか一項に記載の送信制御装置。
（１１）
前記送信制御部は、前記伝送レーン追加要求が取得された場合に、前記第２のレーンとして前記受信装置に伝送停止通知を伝送するレーンと同一のレーンによる前記送信情報の伝送を開始する、
前記（１）〜（４）のいずれか一項に記載の送信制御装置。
（１２）
前記送信制御部は、前記伝送レーン追加要求が取得された場合に、前記第１のレーンによって伝送される前記送信情報に含まれるブランキング区間に応じて、前記第２のレーンによる前記受信装置への前記送信情報の伝送を開始する、
前記（１）〜（１１）のいずれか一項に記載の送信制御装置。
（１３）
前記送信制御装置は、
前記第１のレーンによって伝送される前記送信情報に含まれる複数のブランキング区間のうち、前記第２のレーンによる伝送開始に応じたブランキング区間に所定の固定パターンが設定されるように制御する固定パターン制御部を備える、
前記（１２）に記載の送信制御装置。
（１４）
前記送信制御装置は、
前記第１のレーンおよび前記第２のレーンとは異なる第３のレーンによって伝送される送信情報に含まれる複数のブランキング区間のうち、前記第２のレーンによる伝送開始に応じたブランキング区間に所定の固定パターンが設定されるように制御する固定パターン制御部を備える、
前記（１２）に記載の送信制御装置。
（１５）
前記送信制御部は、前記第１のレーンによって伝送される前記送信情報に含まれる複数のブランキング区間のうち、前記第２のレーンによる伝送開始に応じたブランキング区間の伝送をキャンセルする、
前記（１２）に記載の送信制御装置。
（１６）
前記送信制御部は、前記第１のレーンおよび前記第２のレーンとは異なる第３のレーンによって伝送される送信情報に含まれる複数のブランキング区間のうち、前記第２のレーンによる伝送開始に応じたブランキング区間の伝送をスキップする、
前記（１２）に記載の送信制御装置。
（１７）
第１のレーンにより伝送された送信情報の受信状態が所定の第１の状態よりも悪いことが検出された場合に伝送レーン追加要求を生成する要求生成部と、
前記伝送レーン追加要求が取得された送信装置から前記第１のレーンの他に第２のレーンによって伝送開始された送信情報の受信を制御する受信制御部と、を備え、
前記第２のレーンによる前記送信情報の伝送が開始されてから所定の条件が満たされた場合に、前記第１のレーンによる前記送信情報の伝送が停止される、
受信制御装置。
（１８）
前記受信制御部は、前記第２のレーンによって伝送開始された前記送信情報の前記第２のレーンに繋がる受信部による受信が開始されるように制御する、
前記（１７）に記載の受信制御装置。
（１９）
前記要求生成部は、前記第２のレーンにより伝送された前記送信情報の受信状態が所定の第２の状態よりも良いことが検出された場合に伝送停止要求を生成し、
前記伝送停止要求が取得された送信装置から前記第１のレーンによる前記送信情報の伝送が停止される、
前記（１７）または（１８）に記載の受信制御装置。
（２０）
送信制御装置と、受信制御装置とを有し、
前記送信制御装置は、
第１のレーンにより伝送された送信情報の受信装置による受信状態が所定の第１の状態よりも悪いことが検出された場合に前記受信装置から送信された伝送レーン追加要求を取得する要求取得部と、
前記伝送レーン追加要求が取得された場合に、前記第１のレーンの他に第２のレーンによる前記受信装置への送信情報の伝送を開始する送信制御部と、を備え、
前記送信制御部は、前記第２のレーンによる前記送信情報の伝送が開始されてから所定の条件が満たされた場合に、前記第１のレーンによる前記送信情報の伝送を停止させ、
前記受信制御装置は、
前記第１のレーンにより伝送された前記送信情報の受信状態が前記第１の状態よりも悪いことが検出された場合に前記伝送レーン追加要求を生成する要求生成部と、
前記伝送レーン追加要求が取得された送信装置から前記第１のレーンの他に第２のレーンによって伝送開始された送信情報の受信を制御する受信制御部と、を備える、
送受信制御システム。
【符号の説明】
【０１１４】
１Ａ〜１Ｄ    信号伝送システム（送受信制御システム）
１０Ａ〜１０Ｄ  送信装置
１０４  スイッチ部
１０５  送信器
１０８  送信制御部
１０９  送信制御部
１１１  要求取得部
１１０  要求受信部
１１２  通知送信部
１１３  通知生成部
１１４  送信情報制御部
１１５  パラメータ制御部
１１６  ＭＵＸ部
１１７  ＭＵＸ用スイッチ部
１１８  画像分割部
１２０  固定パターン制御部
１０５２  伝送フレーム生成部
１０５３  スクランブラ
１０５４  符号化部
１０５５  符号化部
１０５６  送信部
１０５９  固定パターン生成部
１０５１０  セレクタ
２０Ａ〜２０Ｄ  受信装置
２０４  スイッチ部
２０５  受信器
２０９  受信制御部
２１０  受信状態比較部
２１１  通知受信部
２１２  通知取得部
２１３  要求送信部
２１４  要求生成部
２１５  受信情報制御部
２１６  ＤＥＭＵＸ部
２１７  ＤＥＭＵＸ用スイッチ部
２１８  画像結合部
２０５２  受信状態測定部
２０５３  伝送フレームデコーダ
２０５４  デスクランブラ
２０５５  復号部
２０５７  受信部
【図１Ａ】
2017163529.tif 000003
【図１Ｂ】
2017163529.tif 000004
【図２】
2017163529.tif 000005
【図３】
2017163529.tif 000006
【図４】
2017163529.tif 000007
【図５】
2017163529.tif 000008
【図６Ａ】
2017163529.tif 000009
【図６Ｂ】
2017163529.tif 000010
【図７】
2017163529.tif 000011
【図８Ａ】
2017163529.tif 000012
【図８Ｂ】
2017163529.tif 000013
【図９】
2017163529.tif 000014
【図１０Ａ】
2017163529.tif 000015
【図１０Ｂ】
2017163529.tif 000016
【図１１】
2017163529.tif 000017
【図１２】
2017163529.tif 000018
【図１３】
2017163529.tif 000019
【図１４】
2017163529.tif 000020
【国際調査報告】
2017163529.tif 000021
2017163529.tif 000022
2017163529.tif 000023
2017163529.tif 000024